(57)【要約】  本願の実施例は複数のダウンリンクチャネルの伝送をサポートする基準信号の測定及びフィードバックを実現することのできる無線通信方法、端末装置及び送信ノードを提供し、該方法は、端末装置が複数の基準信号の測定結果を報告するモードを決定することと、決定された前記モード及び前記測定結果に基づき、前記端末装置が前記複数の基準信号のうちの各基準信号に対応するランクインジケータを含む報告情報を報告することと、を含み、前記端末装置の決定した報告モードが第１モード又は第２モードであり、前記第１モードにおいて、前記各基準信号に対応する報告情報内のランクインジケータの最大値が第１所定値以下であり、前記第２モードにおいて、前記複数の基準信号に対応する報告情報内のランクインジケータの値の総和の最大値が第２所定値以下である。
2020537837.tif 000002
【特許請求の範囲】
【請求項１】
無線通信方法であって、
端末装置が、複数の基準信号の測定結果を報告するモードを決定することと、
決定された前記モード及び前記測定結果に基づき、前記端末装置が前記複数の基準信号のうちの各基準信号に対応するランクインジケータを含む報告情報を報告することと、を含み、
前記端末装置の決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下であることを特徴とする、前記無線通信方法。
【請求項２】
前記複数の基準信号が、前記端末装置にサービスを提供する複数の送信ノード又は複数のダウンリンク送信ビームからのものであることを特徴とする
請求項１に記載の方法。
【請求項３】
前記第１所定値が前記端末装置の能力に対応する値以下であり、及び／又は前記端末装置に構成された、前記各基準信号それぞれに対応するポート数以下であることを特徴とする
請求項１又は２に記載の方法。
【請求項４】
前記第２所定値が前記端末装置の能力に対応する値以下であることを特徴とする
請求項１〜３のいずれか１項に記載の方法。
【請求項５】
前記端末装置が複数の基準信号の測定結果を報告するモードを決定することは、
前記端末装置が、ネットワーク装置が前記複数の基準信号の測定結果の報告モードを構成する構成情報を受信していない場合、前記端末装置が第１モードで前記複数の基準信号の測定結果を報告することを決定することを含むことを特徴とする
請求項１〜４のいずれか１項に記載の方法。
【請求項６】
前記端末装置が複数の基準信号の測定結果を報告するモードを決定する前に、前記方法は、更に、
前記端末装置が、前記複数の基準信号の測定結果の報告モードを構成するための構成情報を受信することを含むことを特徴とする
請求項１〜４のいずれか１項に記載の方法。
【請求項７】
前記構成情報は、前記端末装置が前記第１モードで前記複数の基準信号の測定結果を報告するように構成することに用いられることを特徴とする
請求項６に記載の方法。
【請求項８】
前記構成情報は、前記端末装置が前記第２モードで前記複数の基準信号の測定結果を報告するように構成することに用いられることを特徴とする
請求項６に記載の方法。
【請求項９】
前記構成情報には更に前記第２所定値が含まれることを特徴とする
請求項８に記載の方法。
【請求項１０】
前記構成情報には更に前記各基準信号に対応する報告情報内のランクインジケータの最大値が含まれることを特徴とする
請求項８に記載の方法。
【請求項１１】
前記第２モードにおいて、前記各基準信号に対応する報告情報内のランクインジケータの最大値が第３所定値であることを特徴とする
請求項８に記載の方法。
【請求項１２】
前記第３所定値は前記端末装置の能力に対応する値を前記複数の基準信号の数で割った値の切り下げに等しく、又は、
前記第３所定値は前記端末装置の能力に対応する値及び対応する基準信号に対応するポート数のうちの最小値に等しいことを特徴とする
請求項１１に記載の方法。
【請求項１３】
前記構成情報における異なる基準信号の構成が前記基準信号のインデックスで区分されることを特徴とする
請求項６〜１２のいずれか１項に記載の方法。
【請求項１４】
前記構成情報における異なる基準信号の構成が前記基準信号の対応する報告情報のインデックスで区分されることを特徴とする
請求項６〜１２のいずれか１項に記載の方法。
【請求項１５】
前記端末装置が前記複数の基準信号のうちの各基準信号に対応するランクインジケータを含む報告情報を報告することは、
前記端末装置が、それぞれ前記各基準信号の送信側へ該基準信号そのものに対応する、ランクインジケータを含む報告情報を送信することを含むことを特徴とする
請求項１〜１４のいずれか１項に記載の方法。
【請求項１６】
前記端末装置が前記複数の基準信号のうちの各基準信号に対応するランクインジケータを含む報告情報を報告することは、
前記端末装置が、前記複数の基準信号のうちの少なくとも１つの第１基準信号の送信側へ第１メッセージを送信することを含み、前記第１メッセージが、前記第１基準信号に対応するランクインジケータを含む報告情報を含み、
前記第１メッセージは更に前記複数の基準信号のうちの少なくとも１つの第２基準信号に対応する報告情報に含まれるランクインジケータを含むことを特徴とする
請求項１〜１４のいずれか１項に記載の方法。
【請求項１７】
無線通信方法であって、
第１送信ノードが、端末装置から送信された報告情報を受信し、前記報告情報が、前記第１送信ノードから送信された基準信号に対応し且つランクインジケータを含み、前記第１送信ノードを含む複数の送信ノードが端末装置にサービスを提供することと、
前記報告情報に基づき、前記第１送信ノードが、前記端末装置へダウンリンク信号を送信する伝送層の層数を決定することと、を含むことを特徴とする、前記無線通信方法。
【請求項１８】
前記報告情報に基づき、第１送信ノードが前記端末装置へダウンリンク信号を送信する伝送層の層数を決定することは、
前記報告情報に含まれる前記ランクインジケータの値に基づき、前記第１送信ノードが前記端末装置へダウンリンク信号を送信する伝送層の層数を、前記端末装置の他の送信ノードと協議することを含むことを特徴とする
請求項１７に記載の方法。
【請求項１９】
前記報告情報に基づき、第１送信ノードが前記端末装置へダウンリンク信号を送信する伝送層の層数を決定することは、
前記報告情報に含まれる前記ランクインジケータの値及び所定の伝送層の層数に基づき、第１送信ノードが前記端末装置へダウンリンク信号を送信する伝送層の層数を決定することを含み、
前記所定の伝送層の層数は、前記第１送信ノードが前記端末装置の他の送信ノードと予め協議した、前記第１送信ノードが前記端末装置へダウンリンク信号を送信する伝送層の層数であることを特徴とする
請求項１７に記載の方法。
【請求項２０】
前記報告情報に含まれる前記ランクインジケータの値及び所定の伝送層の層数に基づき、第１送信ノードが前記端末装置へダウンリンク信号を送信する伝送層の層数を決定することは、
前記ランクインジケータの値に対応する伝送層数及び所定の伝送層の層数のうちのより少ない層数を、前記第１送信ノードが前記端末装置へダウンリンク信号を送信する伝送層の層数として決定することを含むことを特徴とする
請求項１９に記載の方法。
【請求項２１】
前記方法は、更に、
前記第１送信ノードが前記端末装置の複数回送信した前記報告情報に基づき、前記端末装置の他の送信ノードと前記第１送信ノードが前記端末装置へダウンリンク信号を送信する伝送層の層数を改めて協議し、前記所定の伝送層の層数を更新するようにすることを含むことを特徴とする
請求項１９又は２０に記載の方法。
【請求項２２】
前記第１送信ノードが前記端末装置へダウンリンク信号を送信する伝送層の層数と他の送信ノードが前記端末装置へダウンリンク信号を送信する伝送層の層数との和は前記端末装置の能力に対応する値以下であることを特徴とする
請求項１７〜２１のいずれか１項に記載の方法。
【請求項２３】
端末装置であって、
複数の基準信号の測定結果を報告するモードを決定するように構成される処理ユニットと、
決定された前記モード及び前記測定結果に基づき、前記複数の基準信号のうちの各基準信号に対応するランクインジケータを含む報告情報を報告するように構成される通信ユニットと、を備え、
前記処理ユニットにより決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下であることを特徴とする、前記端末装置。
【請求項２４】
前記複数の基準信号が、前記端末装置にサービスを提供する複数の送信ノード又は複数のダウンリンク送信ビームからのものであることを特徴とする
請求項２３に記載の端末装置。
【請求項２５】
前記第１所定値が前記端末装置の能力に対応する値以下であり、及び／又は前記端末装置に構成された、前記各基準信号それぞれに対応するポート数以下であることを特徴とする
請求項２３又は２４に記載の端末装置。
【請求項２６】
前記第２所定値が前記端末装置の能力に対応する値以下であることを特徴とする
請求項２３〜２５のいずれか１項に記載の端末装置。
【請求項２７】
前記処理ユニットは、更に、
前記通信ユニットが、ネットワーク装置が前記複数の基準信号の測定結果の報告モードを構成する構成情報を受信していない場合、第１モードで前記複数の基準信号の測定結果を報告することを決定するように構成されることを特徴とする
請求項２３〜２６のいずれか１項に記載の端末装置。
【請求項２８】
前記通信ユニットは、更に、
前記複数の基準信号の測定結果の報告モードを構成するための構成情報を受信することにように構成されることを特徴とする
請求項２３〜２６のいずれか１項に記載の端末装置。
【請求項２９】
前記構成情報は、前記端末装置が前記第１モードで前記複数の基準信号の測定結果を報告するように構成することに用いられることを特徴とする
請求項２８に記載の端末装置。
【請求項３０】
前記構成情報は、前記端末装置が前記第２モードで前記複数の基準信号の測定結果を報告するように構成することに用いられることを特徴とする
請求項２８に記載の端末装置。
【請求項３１】
前記構成情報には更に前記第２所定値が含まれることを特徴とする
請求項３０に記載の端末装置。
【請求項３２】
前記構成情報には更に前記各基準信号に対応する報告情報内のランクインジケータの最大値が含まれることを特徴とする
請求項３０に記載の端末装置。
【請求項３３】
前記第２モードにおいて、前記各基準信号に対応する報告情報内のランクインジケータの最大値が第３所定値であることを特徴とする
請求項３０に記載の端末装置。
【請求項３４】
前記第３所定値は前記端末装置の能力に対応する値を前記複数の基準信号の数で割った値の切り下げに等しく、又は、
前記第３所定値は前記端末装置の能力に対応する値及び対応する基準信号に対応するポート数のうちの最小値に等しいことを特徴とする
請求項３３に記載の端末装置。
【請求項３５】
前記構成情報における異なる基準信号の構成が前記基準信号のインデックスで区分されることを特徴とする
請求項２８〜３４のいずれか１項に記載の端末装置。
【請求項３６】
前記構成情報における異なる基準信号の構成が前記基準信号の対応する報告情報のインデックスで区分されることを特徴とする
請求項２８〜３４のいずれか１項に記載の端末装置。
【請求項３７】
前記通信ユニットは、更に、
それぞれ前記各基準信号の送信側へ該基準信号そのものに対応する、ランクインジケータを含む報告情報を送信するように構成されることを特徴とする
請求項２３〜３６のいずれか１項に記載の端末装置。
【請求項３８】
前記通信ユニットは、更に、
前記複数の基準信号のうちの少なくとも１つの第１基準信号の送信側へ第１メッセージを送信するように構成され、前記第１メッセージが、前記第１基準信号に対応するランクインジケータを含む報告情報を含み、
前記第１メッセージは更に前記複数の基準信号のうちの少なくとも１つの第２基準信号に対応する報告情報に含まれるランクインジケータを含むことを特徴とする
請求項２３〜３６のいずれか１項に記載の端末装置。
【請求項３９】
送信ノードであって、
端末装置から送信された報告情報を受信するように構成され、前記報告情報が、前記送信ノードから送信された基準信号に対応し且つランクインジケータを含み、前記送信ノードを含む複数の送信ノードが前記端末装置にサービスを提供する通信ユニットと、
前記報告情報に基づき、前記端末装置へダウンリンク信号を送信する伝送層の層数を決定するように構成される処理ユニットと、を備えることを特徴とする、前記送信ノード。
【請求項４０】
前記処理ユニットは、更に、
前記報告情報に含まれる前記ランクインジケータの値に基づき、前記端末装置の他の送信ノードと前記送信ノードが前記端末装置へダウンリンク信号を送信する伝送層の層数を協議するように構成されることを特徴とする
請求項３９に記載の送信ノード。
【請求項４１】
前記処理ユニットは、更に、
前記報告情報に含まれる前記ランクインジケータの値及び所定の伝送層の層数に基づき、前記端末装置へダウンリンク信号を送信する伝送層の層数を決定するように構成され、
前記所定の伝送層の層数は前記送信ノードが前記端末装置の他の送信ノードと予め協議した、前記送信ノードが前記端末装置へダウンリンク信号を送信する伝送層の層数であることを特徴とする
請求項３９に記載の送信ノード。
【請求項４２】
前記処理ユニットは、更に、
前記ランクインジケータの値に対応する伝送層数及び所定の伝送層の層数のうちのより少ない層数を、前記送信ノードが前記端末装置へダウンリンク信号を送信する伝送層の層数として決定するように構成されることを特徴とする
請求項４１に記載の送信ノード。
【請求項４３】
前記処理ユニットは、更に、
前記端末装置の複数回送信した前記報告情報に基づき、前記端末装置の他の送信ノードと前記送信ノードが前記端末装置へダウンリンク信号を送信する伝送層の層数を改めて協議し、前記所定の伝送層の層数を更新するようにするように構成されることを特徴とする
請求項４１又は４２に記載の送信ノード。
【請求項４４】
前記送信ノードが前記端末装置へダウンリンク信号を送信する伝送層の層数と他の送信ノードが前記端末装置へダウンリンク信号を送信する伝送層の層数との和は前記端末装置の能力に対応する値以下であることを特徴とする
請求項３９〜４３のいずれか１項に記載の送信ノード。
【発明の詳細な説明】
【技術分野】
【０００１】
本願は通信分野に関し、且つより具体的に、無線通信方法、端末装置及び送信ノードに関する。
【背景技術】
【０００２】
従来の新無線（ＮＲ：Ｎｅｗ  Ｒａｄｉｏ）システムにおいて、複数の送信ノードは共同で端末装置へ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を送信することができる。
【０００３】
従って、複数のダウンリンクチャネルの伝送をサポートするために、どのように基準信号の測定及びフィードバックを行うかは早急な解決の待たれる問題である。
【発明の概要】
【発明が解決しようとする課題】
【０００４】
本願の実施例は複数のダウンリンクチャネルの伝送をサポートする基準信号の測定及びフィードバックを実現することのできる無線通信方法及び装置を提供する。
【課題を解決するための手段】
【０００５】
第１態様では、無線通信方法を提供し、
端末装置が複数の基準信号の測定結果を報告するモードを決定することと、
決定された前記モード及び前記測定結果に基づき、前記端末装置が前記複数の基準信号のうちの各基準信号に対応するランクインジケータを含む報告情報を報告することと、を含み、
前記端末装置の決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下である。
【０００６】
従って、本願の実施例において、端末装置が複数の基準信号を測定し、前記端末装置が測定結果に基づき、前記複数の基準信号のうちの各基準信号に対応するランクインジケータを含む報告情報を決定し、前記端末装置がネットワーク側へ前記各基準信号に対応するランクインジケータを含む報告情報を送信し、これにより、複数のダウンリンクチャネルの伝送をサポートする基準信号の測定及びフィードバックを実現し、且つ端末装置は報告情報の報告モードが第１モード又は第２モードであると決定し、端末側においてネットワーク側が端末装置へ送信しようとするダウンリンクチャネルの伝送層の層数をできる限り制限することができる。
【０００７】
第１態様を参照して、第１態様の可能な実現方式では、前記複数の基準信号が、前記端末装置にサービスを提供する複数の送信ノード又は複数のダウンリンク送信ビームからのものである。
【０００８】
第１態様又は上記いずれか１つの可能な実現方式を参照して、第１態様の別の可能な実現方式では、前記第１所定値が前記端末装置の能力に対応する値以下であり、及び／又は前記端末装置に構成された、前記各基準信号それぞれに対応するポート数以下である。
【０００９】
第１態様又は上記いずれか１つの可能な実現方式を参照して、第１態様の別の可能な実現方式では、前記第２所定値が前記端末装置の能力に対応する値以下である。
【００１０】
第１態様又は上記いずれか１つの可能な実現方式を参照して、第１態様の別の可能な実現方式では、前記端末装置が複数の基準信号の測定結果を報告するモードを決定することは、
前記端末装置が、ネットワーク装置が前記複数の基準信号の測定結果の報告モードを構成する構成情報を受信していない場合、前記端末装置が第１モードで前記複数の基準信号の測定結果を報告することを決定することを含む。
【００１１】
第１態様又は上記いずれか１つの可能な実現方式を参照して、第１態様の別の可能な実現方式では、前記端末装置が複数の基準信号の測定結果を報告するモードを決定する前に、前記方法は、更に、
前記端末装置が、前記複数の基準信号の測定結果の報告モードを構成するための構成情報を受信することを含む。
【００１２】
第１態様又は上記いずれか１つの可能な実現方式を参照して、第１態様の別の可能な実現方式では、前記構成情報は、前記端末装置が前記第１モードで前記複数の基準信号の測定結果を報告するように構成することに用いられる。
【００１３】
第１態様又は上記いずれか１つの可能な実現方式を参照して、第１態様の別の可能な実現方式では、前記構成情報は、前記端末装置が前記第２モードで前記複数の基準信号の測定結果を報告するように構成することに用いられる。
【００１４】
第１態様又は上記いずれか１つの可能な実現方式を参照して、第１態様の別の可能な実現方式では、前記構成情報には更に前記第２所定値が含まれる。
【００１５】
第１態様又は上記いずれか１つの可能な実現方式を参照して、第１態様の別の可能な実現方式では、前記構成情報には更に前記各基準信号に対応する報告情報内のランクインジケータの最大値が含まれる。
【００１６】
第１態様又は上記いずれか１つの可能な実現方式を参照して、第１態様の別の可能な実現方式では、前記第２モードにおいて、前記各基準信号に対応する報告情報内のランクインジケータの最大値が第３所定値である。
【００１７】
第１態様又は上記いずれか１つの可能な実現方式を参照して、第１態様の別の可能な実現方式では、前記第３所定値は前記端末装置の能力に対応する値を前記複数の基準信号の数で割った値の切り下げに等しく、又は、
前記第３所定値は前記端末装置の能力に対応する値及び対応する基準信号に対応するポート数のうちの最小値に等しい。
【００１８】
第１態様又は上記いずれか１つの可能な実現方式を参照して、第１態様の別の可能な実現方式では、前記構成情報における異なる基準信号の構成が前記基準信号のインデックスで区分される。
【００１９】
第１態様又は上記いずれか１つの可能な実現方式を参照して、第１態様の別の可能な実現方式では、前記構成情報における異なる基準信号の構成が前記基準信号の対応する報告情報のインデックスで区分される。
【００２０】
第１態様又は上記いずれか１つの可能な実現方式を参照して、第１態様の別の可能な実現方式では、前記端末装置が前記複数の基準信号のうちの各基準信号に対応するランクインジケータを含む報告情報を報告することは、
前記端末装置が、それぞれ前記各基準信号の送信側へ該基準信号そのものに対応する、ランクインジケータを含む報告情報を送信することを含む。
【００２１】
第１態様又は上記いずれか１つの可能な実現方式を参照して、第１態様の別の可能な実現方式では、前記端末装置が前記複数の基準信号のうちの各基準信号に対応するランクインジケータを含む報告情報を報告することは、
前記端末装置が、前記複数の基準信号のうちの少なくとも１つの第１基準信号の送信側へ第１メッセージを送信することを含み、前記第１メッセージが、前記第１基準信号に対応するランクインジケータを含む報告情報を含み、
前記第１メッセージは更に前記複数の基準信号のうちの少なくとも１つの第２基準信号に対応する報告情報に含まれるランクインジケータを含む。
【００２２】
第２態様では、無線通信方法を提供し、
第１送信ノードが端末装置から送信された報告情報を受信し、前記報告情報が、前記第１送信ノードから送信された基準信号に対応し且つランクインジケータを含み、前記第１送信ノードを含む複数の送信ノードが端末装置にサービスを提供することと、
前記報告情報に基づき、前記第１送信ノードが前記端末装置へダウンリンク信号を送信する伝送層の層数を決定することと、を含む。
【００２３】
従って、本願の実施例において、端末装置にサービスを提供する複数の送信ノードはそれぞれ端末装置から送信された報告情報を受信し、該報告情報は該送信ノードそのものの送信した基準信号に対応し且つランクインジケータを含み、従って、各送信ノードは送信ノードそのものの送信した基準信号に対応する報告情報に含まれるランクインジケータに基づいてダウンリンク信号伝送層の決定を行うことができ、それにより複数のダウンリンクチャネルの伝送をサポートする基準信号の測定及びフィードバックを実現する。
【００２４】
第２態様を参照して、第２態様の可能な実現方式では、前記報告情報に基づき、第１送信ノードが前記端末装置へダウンリンク信号を送信する伝送層の層数を決定することは、
前記報告情報に含まれる前記ランクインジケータの値に基づき、前記第１送信ノードが前記端末装置へダウンリンク信号を送信する伝送層の層数を、前記端末装置の他の送信ノードと協議することを含む。
【００２５】
第２態様又は上記いずれか１つの可能な実現方式を参照して、第２態様の別の可能な実現方式では、前記報告情報に基づき、第１送信ノードが前記端末装置へダウンリンク信号を送信する伝送層の層数を決定することは、
前記報告情報に含まれる前記ランクインジケータの値及び所定の伝送層の層数に基づき、第１送信ノードが前記端末装置へダウンリンク信号を送信する伝送層の層数を決定することを含む。
【００２６】
前記所定の伝送層の層数は、前記第１送信ノードが前記端末装置の他の送信ノードと予め協議した、前記第１送信ノードが前記端末装置へダウンリンク信号を送信する伝送層の層数である。
【００２７】
第２態様又は上記いずれか１つの可能な実現方式を参照して、第２態様の別の可能な実現方式では、前記報告情報に含まれる前記ランクインジケータの値及び所定の伝送層の層数に基づき、第１送信ノードが前記端末装置へダウンリンク信号を送信する伝送層の層数を決定することは、
前記ランクインジケータの値に対応する伝送層数及び所定の伝送層の層数のうちのより少ない層数を、前記第１送信ノードが前記端末装置へダウンリンク信号を送信する伝送層の層数として決定することを含む。
【００２８】
第２態様又は上記いずれか１つの可能な実現方式を参照して、第２態様の別の可能な実現方式では、前記方法は、更に、
前記第１送信ノードが前記端末装置の複数回送信した前記報告情報に基づき、前記端末装置の他の送信ノードと前記第１送信ノードが前記端末装置へダウンリンク信号を送信する伝送層の層数を改めて協議し、前記所定の伝送層の層数を更新するようにすることを含む。
【００２９】
第２態様又は上記いずれか１つの可能な実現方式を参照して、第２態様の別の可能な実現方式では、前記第１送信ノードが前記端末装置へダウンリンク信号を送信する伝送層の層数と他の送信ノードが前記端末装置へダウンリンク信号を送信する伝送層の層数との和は前記端末装置の能力に対応する値以下である。
【００３０】
第３態様では、端末装置を提供し、前記端末装置は上記第１態様又は第１態様のいずれか１つの可能な実現方式における方法を実行するように構成される。具体的に、前記端末装置は上記第１態様又は第１態様のいずれか１つの可能な実現方式における方法を実行するための機能モジュールを備える。
【００３１】
第４態様では、送信ノードを提供し、前記送信ノードは上記第２態様又は第２態様のいずれか１つの可能な実現方式における方法を実行するように構成される。具体的に、前記送信ノードは上記第２態様又は第２態様のいずれか１つの可能な実現方式における方法を実行するための機能モジュールを備える。
【００３２】
第５態様では、端末装置を提供し、前記端末装置はプロセッサ、メモリ及び送受信機を備える。前記プロセッサ、前記メモリ及び前記送受信機が内部接続経路によって互いに通信し、制御及び／又はデータ信号を伝達することにより、前記端末装置が上記第１態様又は第１態様のいずれか１つの可能な実現方式における方法を実行する。
【００３３】
第６態様では、送信ノードを提供し、前記送信ノードはプロセッサ、メモリ及び送受信機を備える。前記プロセッサ、前記メモリ及び前記送受信機が内部接続経路によって互いに通信し、制御及び／又はデータ信号を伝達することにより、前記送信ノードが上記第２態様又は第２態様のいずれか１つの可能な実現方式における方法を実行する。
【００３４】
第７態様では、コンピュータ可読媒体を提供し、前記コンピュータ可読媒体はコンピュータプログラムを記憶するように構成され、前記コンピュータプログラムは上記いずれか１つの方法又はいずれか１つの可能な実現方式における方法を実行するための命令を含む。
【００３５】
第８態様では、命令を含むコンピュータプログラム製品を提供し、前記コンピュータプログラム製品がコンピュータにおいて実行されるとき、コンピュータが上記いずれか１つの方法又はいずれか１つの可能な実現方式における方法を実行する。
【図面の簡単な説明】
【００３６】
【図１】図１は本願の実施例に係る無線通信システムの模式図である。
【図２】図２は本願の実施例に係る無線通信システムの模式図である。
【図３】図３は本願の実施例に係る無線通信方法の模式的なフローチャートである。
【図４】図４は本願の実施例に係る無線通信方法の模式的なフローチャートである。
【図５】図５は本願の実施例に係る端末装置の模式的なブロック図である。
【図６】図６は本願の実施例に係る送信ノードの模式的なブロック図である。
【図７】図７は本願の実施例に係るシステムチップの模式的なブロック図である。
【図８】図８は本願の実施例に係る通信装置の模式的なブロック図である。
【発明を実施するための形態】
【００３７】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００３８】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００３９】
好ましくは、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム（新無線（ＮＲ：Ｎｅｗ  Ｒａｄｉｏ）システムと称されてもよい）等に適用されてもよい。
【００４０】
図１及び図２は本願の実施例に係る無線通信システムの模式図である。
【００４１】
図１に示すように、複数の送信ノード（例えば、送信ノード１及び送信ノード２）は共同で端末装置へダウンリンクチャネル又は信号を送信することができる。
【００４２】
又は、ネットワーク側は複数の送信ビーム（例えば、送信ビーム１及び送信ビーム２）を介して端末装置へダウンリンクチャネル又は信号を送信することができる。
【００４３】
該複数の送信ビームは同じ送信ノードからのもの（例えば、図２に示すように、送信ノード３からのもの）又は異なる送信ノードからのもの（例えば、図１に示すように、それぞれ送信ノード１及び送信ノード２からのもの）であってもよい。
【００４４】
好ましくは、図１及び図２における端末装置はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４５】
好ましくは、図１及び図２に示される送信ノードは端末装置と通信する装置であってもよい。送信ノードは特定の地理的領域に通信カバレッジを提供することができ、且つ該カバレッジ領域内の端末装置（例えば、ＵＥ）と通信することができる。好ましくは、送信ノードはＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該送信ノードは中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００４６】
好ましくは、送信ノードが送受信ポイント（ＴＲＰ：Ｔｒａｎｓｍｉｓｓｉｏｎ  Ｒｅｃｅｐｔｉｏｎ  Ｐｏｉｎｔ）と称されてもよい。
【００４７】
好ましくは、本願の実施例の複数の送信ノードは１つの制御装置により制御されてもよい。又は、本願の実施例の複数の送信ノードのうちの１つのプライマリ送信ノードが他の送信ノードに対する制御を実現する。
【００４８】
好ましくは、５Ｇシステム又はネットワークが更に新無線（ＮＲ：Ｎｅｗ  Ｒａｄｉｏ）システム又はネットワークと称されてもよい。
【００４９】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５０】
図３は本願の実施例に係る無線通信方法１００の模式的なフローチャートである。該方法１００は図１に示されるシステムに適用できることが好ましいが、これに限らない。該方法１００は以下の少なくとも一部を含む。
【００５１】
１１０において、端末装置が複数の基準信号の測定結果を報告するモードを決定する。
【００５２】
好ましくは、該基準信号はチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）であってもよい。
【００５３】
好ましくは、該複数の基準信号は該端末装置にサービスを共同で提供する複数の送信ノードからのもの又は複数のダウンリンク送信ビームからのものである。
【００５４】
好ましくは、複数の基準信号が複数の送信ノードに１対１に対応し、つまり、１つの送信ノードが１つの基準信号を送信する。１つの基準信号は構成による送信されたダウンリンク信号を指す。
【００５５】
好ましくは、該複数のダウンリンクビームは同じ送信ノードからのものであってもよく、又は異なるダウンリンクビームは異なる送信ノードからのものである。
【００５６】
好ましくは、複数のダウンリンク送信ビームが複数の基準信号に１対１に対応してもよく、つまり、１つのダウンリンク送信ビームを介して１つの基準信号を送信する。
【００５７】
１２０において、決定された該モード及び該測定結果に基づき、該端末装置が該複数の基準信号のうちの各基準信号に対応するランクインジケータを含む報告情報を報告する。
【００５８】
好ましくは、該ランクインジケータの値は端末装置の基準信号に対応する伝送チャネルにおけるサポートする最大伝送層数を示すことに用いられる。
【００５９】
好ましくは、端末装置による複数の測定信号に対する測定は同時に行われなくてもよい。又は、端末装置の基準信号を報告する報告情報も同時に行われなくてもよい。
【００６０】
好ましくは、本願の実施例のフィードバック情報はランクインジケータと、基準信号のインデックス又は報告情報のインデックス又は送信ノードのインデックスとを含んでもよい。
【００６１】
好ましくは、該端末装置がそれぞれ該各基準信号の送信側へ該基準信号そのものに対応する、ランクインジケータを含む報告情報を送信する。
【００６２】
好ましくは、該端末装置が該複数の基準信号のうちの少なくとも１つの第１基準信号の送信側へ第１メッセージを送信し、該第１メッセージは該第１基準信号に対応するランクインジケータを含む報告情報を含み、該第１メッセージは更に該複数の基準信号のうちの少なくとも１つの第２基準信号に対応する報告情報に含まれるランクインジケータを含む。
【００６３】
例えば、３つの基準信号、例えばそれぞれ送信ノード１、送信ノード２及び送信ノード３からの基準信号１、基準信号２及び基準信号３があり、送信ノード１へ基準信号１に対応する報告情報を送信してもよく、送信ノード２へ基準信号２及び基準信号３に対応する報告情報を送信してもよく、送信ノード３へ基準信号１、基準信号２及び基準信号３の報告情報を送信してもよい。
【００６４】
具体的に、ある基準信号の送信側へ他の基準信号に対応する報告情報を送信するかどうかは、実際の状況に応じて決定されてもよく、例えば、送信ノードの優先度に基づいて決定されてもよく、例えば、優先度が高ければ高いほど、他の基準信号に対応する報告情報を送信する必要がなくなる。以上に列挙した例では、送信ノード１の優先度が送信ノード２より高く、送信ノード２の優先度が送信ノード３より高い。
【００６５】
好ましくは、複数の基準信号がそれぞれ異なる送信ノードからのものである場合、端末装置はそれぞれ各送信ノードへ該送信ノードの送信した基準信号に対応する報告情報を送信することができる。
【００６６】
好ましくは、複数の基準信号がそれぞれ異なる送信ビームからのものである場合、端末装置はそれぞれ送信ビームの送信側へ該送信側そのものの送信した基準信号に対応する報告情報を送信することができる。
【００６７】
好ましくは、該端末装置の決定した報告モードが第１モード又は第２モードである。
【００６８】
好ましくは、該第１モードにおいて、該各基準信号に対応する報告情報内のランクインジケータの最大値が第１所定値以下である。
【００６９】
好ましくは、該第１所定値が該端末装置の能力に対応する値以下であり、及び／又は該端末装置に構成された該各基準信号それぞれに対応するポート数以下である。
【００７０】
具体的には、該第１モードにおいて、端末装置はいかなる基準信号に対応する報告情報内のランクインジケータの最大値が第１所定値以下である状況に対して、端末装置は複数の基準信号に対応する報告情報内のランクインジケータの値の総和を考慮しなくてもよい。該モードにおいて、複数の基準信号の送信ノードは報告情報を受信した後、調整によって、端末装置へ送信したダウンリンクチャネルの伝送層の総層数を端末装置の能力に対応する値より小さくする。
【００７１】
好ましくは、該第２モードにおいて、該複数の基準信号に対応する報告情報内のランクインジケータの値の総和の最大値が第２所定値以下である。
【００７２】
具体的には、該第２モードにおいて、端末装置はそれぞれ各基準信号に対応する報告情報内のランクインジケータを決定して、複数の基準信号に対応する報告情報内のランクインジケータの値の総和を特定値、例えば端末装置の能力に対応する値以下にすることができる。
【００７３】
好ましくは、該第２所定値が該端末装置の能力に対応する値以下である。
【００７４】
該モードにおいて、複数の基準信号の送信ノードは報告情報を受信した後、端末装置の報告したランクインジケータの値に基づき、端末装置へ送信した伝送層の層数を直接決定することができる。
【００７５】
第２モードにおいて、複数の送信ノードがいずれも端末装置にバックホールされる場合、複数の送信ノード間のバックホール（ｂａｃｋｈａｕｌ）が理想的ではなく、つまり、送信ノードが情報を高速で交換できない場合、複数の送信ノードが端末装置に送信したデータフローの層数は端末装置の能力を超えることを回避して、端末装置が復調できず又は一部のデータを廃棄するため、システムリソースを浪費することを回避することができる。
【００７６】
好ましくは、本願の実施例において、端末装置が以下の２つの方式で報告情報の報告モードを決定する。
【００７７】
一方式では、端末装置がネットワーク装置による報告モードの構成を受信していない場合、デフォルトの報告モードで報告してもよく、例えば、第１モードにおいて、報告モードの構成を受信した場合、ネットワーク装置に構成された報告モードで報告し、例えば、ネットワーク装置が第２モードを構成して報告してもよい。該方式では、ネットワーク装置が第２モードのみを構成してもよく、端末装置が第１モードで報告する必要があると決定すれば、ネットワーク装置がいかなる構成をしなくてもよい。
【００７８】
別の方式では、デフォルトの報告モードがなく、ネットワーク装置が報告モードを構成し、端末装置がネットワーク装置に構成された報告モードで報告する。
【００７９】
好ましくは、本願の実施例において、ネットワーク装置が第２報告モードを構成するとき、該構成情報には更に該第１所定値が含まれる。
【００８０】
好ましくは、本願の実施例において、ネットワーク装置が第２報告モードを構成するとき、該構成情報には更に該第２所定値が含まれる。
【００８１】
好ましくは、本願の実施例において、ネットワーク装置が第２報告モードを構成するとき、該構成情報には更に該各基準信号に対応する報告情報内のランクインジケータの最大値が含まれる。
【００８２】
好ましくは、該第２モードにおいて、該各基準信号に対応する報告情報内のランクインジケータの最大値が第３所定値である。
【００８３】
好ましくは、該第３所定値は該端末装置の能力に対応する値を該複数の基準信号の数で割った値の切り下げに等しい。
【００８４】
該複数の基準信号の数は同時に受信すべきＰＤＣＣＨの数に等しくてもよく、又は、同時に受信すべきＰＤＳＣＨの数又は同時に受信すべきＰＤＣＣＨ及びＰＤＳＣＨの数の和に等しくてもよい（ＰＤＣＣＨ及びＰＤＳＣＨを同時に受信すべきである）。
【００８５】
好ましくは、該第３所定値は該端末装置の能力に対応する値及び対応する基準信号に対応するポート数のうちの最小値に等しい。
【００８６】
好ましくは、本願の実施例において、基準信号の報告情報を構成する構成情報における異なる基準信号の構成が該基準信号のインデックスで区分される。
【００８７】
該実現方式では、該構成情報は該基準信号の設定構成、又は、該端末装置による該基準信号の測定をトリガーするトリガー信号、又は、該第１構成情報専用のダウンリンク制御情報（ＤＣＩ：Ｄｏｗｎｌｉｎｋ  Ｃｏｎｔｒｏｌ  Ｉｎｆｏｒｍａｔｉｏｎ）に含まれてもよい。
【００８８】
基準信号の設定構成はＣＳＩ−ＲＳ  ｒｅｓｏｕｒｃｅ  ｓｅｔｔｉｎｇ  ｃｏｎｆｉｇｕｒａｔｉｏｎ又はＣＳＩ−ＲＳ  ｓｅｔｔｉｎｇ  ｃｏｎｆｉｇｕｒａｔｉｏｎであってもよく、どのように基準信号を受信するかを構成することに用いられる。
【００８９】
好ましくは、本願の実施例において、基準信号の報告情報を構成する構成情報における異なる基準信号の構成が該基準信号の対応する報告情報のインデックスで区分される。
【００９０】
該実現方式では、該第１構成情報は該報告情報の設定構成、又は、該端末装置による報告をトリガーするトリガー信号、又は、該第１構成情報専用のＤＣＩに含まれる。該報告情報の設定構成はｒｅｐｏｒｔｉｎｇ  ｓｅｔｔｉｎｇ  ｃｏｎｆｉｇｕｒａｔｉｏｎと称されてもよく、どのように報告情報の送信を行うかを構成することに用いられる。
【００９１】
本願をより明確に理解するために、以下にそれぞれ第１モード及び第２モードを参照して本願の実施例を説明する。
【００９２】
第１モード
ネットワーク側は２つのＴＲＰ又は２つのアンテナパネル（ａｎｔｅｎｎａ  ｐａｎｎｅｌ）又は２つのビーム（ｂｅａｍ）からＵＥへ異なるＮＲ−ＰＤＣＣＨ及びＮＲ−ＰＤＳＣＨを送信することができる。この伝送方式をサポートするために、ネットワーク側は異なるＴＲＰにおいて異なるＣＳＩ−ＲＳ（それぞれＣＳＩ−ＲＳ１、ＣＳＩ−ＲＳ２と記され、異なるＣＳＩ−ＲＳが異なるＣＳＩ−ＲＳリソースインジケータ（ｒｅｓｏｕｒｃｅ  ｉｎｄｉｃａｔｏｒ）で区分される）を送信するとともに、ＵＥがこの２つの信号を測定する（対応するＣＳＩ−ＲＳ  リソース設定構成（ｒｅｓｏｕｒｃｅ  ｓｅｔｔｉｎｇ  ｃｏｎｆｉｇｕｒａｔｉｏｎ）及び報告設定構成（ｒｅｐｏｒｔｉｎｇ  ｓｅｔｔｉｎｇ  ｃｏｎｆｉｇｕｒａｔｉｏｎ）がある）ように構成する。
【００９３】
ＵＥがＣＳＩ−ＲＳ１及びＣＳＩ−ＲＳ２に対して測定し、それぞれ対応するＲＩをフィードバックし、その最大ＲＩがＵＥ能力Ｎ以下である。
【００９４】
ネットワーク側が２つのＲＩを受信した後、２つのＴＲＰ又はａｎｔｅｎｎａ  ｐａｎｎｅｌ又はｂｅａｍ間の調整によって、伝送する総伝送層（ｌａｙｅｒ）数をＵＥの能力Ｎ以下にする。
【００９５】
ネットワーク間の調整は同じセルのＴＰＲ間の調整であってもよいし、異なるセルのＴＲＰ間の調整（例えば、Ｘ２インターフェースを介する）であってもよい。
【００９６】
上記調整間の交換は更に高速交換及び低速交換（準静的交換）に分けられてもよく、高速交換は同じセルのＴＰＲ間の調整に適用されるが、低速交換は同じセル及び異なるセルのＴＰＲ間の調整に適用される。
【００９７】
高速交換は２つのＴＲＰが１つのＵＥに対してＮＲ−ＰＤＳＣＨ伝送を同時に行うとき、異なるＴＲＰ伝送の伝送層（ｌａｙｅｒ）が迅速に変化してもよいことを意味する。
【００９８】
低速交換は２つのＴＲＰが１つのＵＥに対してＮＲ−ＰＤＳＣＨ伝送を同時に行うとき、異なるＴＲＰ伝送のｌａｙｅｒ数が低速で変化することを意味する。
【００９９】
第２モード
ネットワーク側は２つのＴＲＰ又は２つのアンテナパネル（ａｎｔｅｎｎａ  ｐａｎｎｅｌ）又は２つのビーム（ｂｅａｍ）からＵＥへ異なるＮＲ−ＰＤＣＣＨ及びＮＲ−ＰＤＳＣＨを送信することができる。この伝送方式をサポートするために、ネットワーク側は異なるＴＲＰにおいて異なるＣＳＩ−ＲＳ（それぞれＣＳＩ−ＲＳ１、ＣＳＩ−ＲＳ２と記され、異なるＣＳＩ−ＲＳが異なるＣＳＩ−ＲＳ  ｒｅｓｏｕｒｃｅ  ｉｎｄｉｃａｔｏｒで区分される）を送信するとともに、ＵＥがこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎがある）ように構成する。
【０１００】
ＵＥにその復調能力を超えるｌａｙｅｒｓをスケジューリングすることを回避するために、ネットワーク側の構成は以下のいくつかの可能な方式を有してもよい。
【０１０１】
方式１
ネットワーク側はＣＳＩ−ＲＳ１及びＣＳＩ−ＲＳ２（つまり、基準信号のインデックスで区分される）に対してそれぞれ最大フィードバックＲＩ値（Ｎ１，Ｎ２）を構成し、又は、２つのｒｅｐｏｒｔｉｎｇ（つまり、報告情報のインデックスで区分される）に対してそれぞれ最大フィードバックＲＩ値（Ｎ１，Ｎ２）を構成し、Ｎ１＋Ｎ２がＵＥの能力以下である。
【０１０２】
上記Ｎ１及びＮ２は構成を表示しなくてもよく、デフォルトでＮ／Ｋ（ＮがＵＥ能力の最大値であり、ＫがＵＥの同時に受信したＰＤＣＣＨ／ＰＤＳＣＨの個数である）に対応し、Ｎ／Ｋは切り上げ、切り下げを含み、例えばＮ＝５、Ｋ＝２の場合、（Ｎ１，Ｎ２）は異なる組み合わせ、例えば（２，２）、（２，３）、（３，２）を有してもよい。
【０１０３】
１つのＣＳＩ−ＲＳ又は報告情報（ｒｅｐｏｒｔｉｎｇ）が示さない場合、そのランクインジケータの最大値がデフォルトのものであってもよく、つまり、≦ｍｉｎ（ＵＥ最大能力，ＣＳＩ−ＲＳポート数）である。
【０１０４】
方式２
ネットワーク側はＣＳＩ−ＲＳ１及びＣＳＩ−ＲＳ２に対してそれぞれ構成した最大フィードバックＲＩ値（Ｎ１，Ｎ２）の和をＵＥ能力以下に制限し、又は、２つのｒｅｐｏｒｔｉｎｇに対してそれぞれ構成した最大フィードバックＲＩ値（Ｎ１，Ｎ２）の和をＵＥ能力以下に制限するように構成し、Ｎ１＋Ｎ２がＵＥの能力以下である。
【０１０５】
方式３
ＴＲＰ１（プライマリＴＲＰ）はＵＥが１つのｒｅｐｏｒｔｉｎｇにおいて複数のＲＩを報告し、例えばＵＥがＮ１及びＮ２をＴＲＰ２（セカンダリＴＲＰ）に同時に送信するように構成する場合、ＴＲＰ２はその送信したｌａｙｅｒｓを自動的に制限して、実際に伝送したｌａｙｅｒがＮ以下であるように確保することができる。
【０１０６】
従って、本願の実施例において、端末装置が複数の基準信号を測定し、前記端末装置が測定結果に基づき、前記複数の基準信号のうちの各基準信号に対応するランクインジケータを含む報告情報を決定し、前記端末装置がネットワーク側へ前記各基準信号に対応するランクインジケータを含む報告情報を送信し、これにより、複数のダウンリンクチャネルの伝送をサポートする基準信号の測定及びフィードバックを実現し、且つ端末装置は報告情報の報告モードが第１モード又は第２モードであると決定し、端末側においてネットワーク側が端末装置へ送信しようとするダウンリンクチャネルの伝送層の層数をできる限り制限することができる。
【０１０７】
図４は本願の実施例に係る無線通信方法２００の模式的なフローチャートである。該方法２００は図１に示されるシステムに適用できることが好ましい。該方法２００は以下の少なくとも一部を含む。
【０１０８】
２１０において、第１送信ノードが端末装置から送信された報告情報を受信し、該報告情報は該第１送信ノードから送信された基準信号に対応し且つランクインジケータを含み、第１送信ノードを含む複数の送信ノードが端末装置にサービスを提供する。
【０１０９】
２２０において、該報告情報に基づき、該第１送信ノードが該端末装置へダウンリンク信号を送信する伝送層の層数を決定する。
【０１１０】
好ましくは、該報告情報に含まれる該ランクインジケータの値に基づき、第１送信ノードは該端末装置の他の送信ノードと該第１送信ノードが該端末装置へダウンリンク信号を送信する伝送層の層数を協議する。
【０１１１】
該実施例において、第１送信ノードは他の複数の送信ノードと第１送信ノードが該端末装置へダウンリンク信号を送信する伝送層の層数を協議することにより、複数の送信ノードが端末装置へ送信したダウンリンクチャネルの伝送層の層数は端末装置の能力に対応する値を超えることを回避することができる。
【０１１２】
好ましくは、該報告情報に含まれる該ランクインジケータの値及び所定の伝送層の層数に基づき、第１送信ノードが該端末装置へダウンリンク信号を送信する伝送層の層数を決定する。
【０１１３】
該所定の伝送層の層数は該第１送信ノードが該端末装置の他の送信ノードと予め協議した、該第１送信ノードが該端末装置へダウンリンク信号を送信する伝送層の層数である。
【０１１４】
該実施例において、第１送信ノードは他の複数の送信ノードと第１送信ノードが該端末装置へダウンリンク信号を送信する伝送層の層数を予め協議することにより、複数の送信ノードが端末装置へ送信したダウンリンクチャネルの伝送層の層数は端末装置の能力に対応する値を超えることを回避することができる。且つ、伝送層数を予め協議することにより、複数の送信ノードが端末装置の報告した報告情報を受信した後に伝送層数を協議することによる遅延を回避することができる。
【０１１５】
好ましくは、該ランクインジケータの値に対応する伝送層数及び所定の伝送層の層数のうちのより少ない層数を、該第１送信ノードが該端末装置へダウンリンク信号を送信する伝送層の層数として決定する。
【０１１６】
好ましくは、該第１送信ノードは該端末装置の複数回送信した該報告情報に基づき、該端末装置の他の送信ノードと該第１送信ノードが該端末装置へダウンリンク信号を送信する伝送層の層数を改めて協議し、該所定の伝送層の層数を更新するようにする。
【０１１７】
具体的に、複数の送信ノードの予め協議した伝送層数が端末装置のニーズを満たさない可能性があるため、複数の送信ノードは端末装置の複数回報告した報告情報内のランクインジケータの値に基づき、各送信ノードが該端末装置へダウンリンク信号を送信する伝送層層数を再び協議して、所定の伝送層の層数を更新することができる。
【０１１８】
例えば、ＴＲＰ１とＴＲＰ２とはＴＲＰ１及びＴＲＰ２がそれぞれ端末装置へ送信したダウンリンク信号の伝送層の層数が２層及び２層であると予め協議したが、端末装置の複数回報告した報告情報のランクインジケータの値がＴＲＰ１及びＴＲＰ２に対してそれぞれ１及び３である場合、ＴＲＰ１とＴＲＰ２とはそれぞれ端末装置へ送信したダウンリンク信号の伝送層の層数が１層及び３層であると再び協議してもよく、それにより端末装置のニーズをよりよく満たすことができる。
【０１１９】
好ましくは、該第１送信ノードが該端末装置へダウンリンク信号を送信する伝送層の層数と他の送信ノードが該端末装置へダウンリンク信号を送信する伝送層の層数との和は該端末装置の能力に対応する値以下である。
【０１２０】
例えば、１つのＵＥの能力が多くとも４つのｌａｙｅｒｓの復調をサポートするものであり、２つのＴＲＰがそれぞれ２つのｌａｙｅｒ及び４つのｌａｙｅｒを送信すれば、ＵＥの能力を超えて、ＵＥが復調できず又は一部のデータを廃棄し、システムリソースを浪費することになり、従って、複数の送信ノードの送信した伝送層が端末の能力に対応する値以下であるべきである。
【０１２１】
従って、本願の実施例において、端末装置にサービスを提供する複数の送信ノードはそれぞれ端末装置から送信された報告情報を受信し、該報告情報は該送信ノードそのものの送信した基準信号に対応し且つランクインジケータを含み、従って、各送信ノードは送信ノードそのものの送信した基準信号に対応する報告情報に含まれるランクインジケータに基づいてダウンリンク信号伝送層の決定を行うことができ、それにより複数のダウンリンクチャネルの伝送をサポートする基準信号の測定及びフィードバックを実現する。
【０１２２】
図５は本願の実施例に係る端末装置３００の模式的なブロック図である。図５に示すように、該端末装置３００は処理ユニット３１０及び通信ユニット３２０を備え、
前記処理ユニット３１０は複数の基準信号の測定結果を報告するモードを決定するように構成され、
前記通信ユニット３２０は決定された前記モード及び前記測定結果に基づき、前記複数の基準信号のうちの各基準信号に対応するランクインジケータを含む報告情報を報告するように構成され、
前記処理ユニットにより決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下である。
【０１２３】
好ましくは、該端末装置３００は方法実施例における端末装置に対応してもよく、該端末装置の対応操作を実現することができ、簡潔のため、ここで詳細な説明は省略する。
【０１２４】
図６は本願の実施例に係る送信ノード４００の模式的なブロック図である。前記送信ノード４００は通信ユニット４１０及び処理ユニット４２０を備える。
【０１２５】
前記通信ユニット４１０は端末装置から送信された報告情報を受信するように構成され、前記報告情報は前記送信ノードから送信された基準信号に対応し且つランクインジケータを含み、
前記処理ユニット４２０は前記報告情報に基づき、前記端末装置へダウンリンク信号を送信する伝送層の層数を決定するように構成される。
【０１２６】
好ましくは、該送信ノード４００は方法実施例における第１送信ノードに対応してもよく、該第１送信ノードの対応操作を実現することができ、簡潔のため、ここで詳細な説明は省略する。
【０１２７】
図７は本願の実施例のシステムチップ５００の構造模式図である。図７におけるシステムチップ５００は入力インターフェース５０１、出力インターフェース５０２、プロセッサ５０３及びメモリ５０４を備え、それらが内部通信接続経路によって接続されてもよく、前記プロセッサ５０３は前記メモリ８０４におけるコードを実行するように構成される。
【０１２８】
好ましくは、前記コードが実行されるとき、前記プロセッサ５０３は方法実施例における送信ノードの実行する方法を実現する。簡潔のため、ここで詳細な説明は省略する。
【０１２９】
好ましくは、前記コードが実行されるとき、前記プロセッサ５０３は方法実施例における端末装置の実行する方法を実現する。簡潔のため、ここで詳細な説明は省略する。
【０１３０】
図８は本願の実施例に係る通信装置６００の模式的なブロック図である。図８に示すように、該通信装置６００はプロセッサ６１０及びメモリ６２０を備える。該メモリ６２０にプログラムコードが記憶されてもよく、該プロセッサ６１０は該メモリ６２０に記憶されるプログラムコードを実行することができる。
【０１３１】
好ましくは、図８に示すように、該通信装置６００は送受信機６３０を備えてもよく、プロセッサ６１０は送受信機６３０が外部と通信するように制御することができる。
【０１３２】
好ましくは、該プロセッサ６１０はメモリ６２０に記憶されるプログラムコードを呼び出して、方法実施例における送信ノードの対応操作を実行することができ、簡潔のため、ここで詳細な説明は省略する。
【０１３３】
好ましくは、該プロセッサ６１０はメモリ６２０に記憶されるプログラムコードを呼び出して、方法実施例における端末装置の対応操作を実行することができ、簡潔のため、ここで詳細な説明は省略する。
【０１３４】
本願の実施例のプロセッサは信号処理能力を有する集積回路チップでありうると理解すべきである。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを行う。
【０１３５】
本願の実施例において、メモリは揮発性メモリであっても、又は不揮発性メモリであってもよく、又は、揮発性メモリ及び不揮発性メモリの両方を含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含んでもよいが、それらに限らないように意図されるものである。
【０１３６】
当業者であれば、本明細書に開示される実施例を参照して説明した各例示的なユニット及びアルゴリズムステップは、電子ハードウェア、又はコンピュータソフトウェア及び電子ハードウェアの組み合わせで実現できると理解される。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１３７】
当業者であれば、説明を容易且つ簡単にするために、上記説明されるシステム、装置及びユニットの具体的な動作過程は、前述の方法実施例における対応過程を参照してもよく、ここで詳細な説明は省略すると明確に理解される。
【０１３８】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４０】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１４１】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４２】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020537837.tif 000003
【図２】
2020537837.tif 000004
【図３】
2020537837.tif 000005
【図４】
2020537837.tif 000006
【図５】
2020537837.tif 000007
【図６】
2020537837.tif 000008
【図７】
2020537837.tif 000009
【図８】
2020537837.tif 000010
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
無線通信方法であって、
端末装置が、複数の基準信号の測定結果を報告するモードを決定することと、
決定された前記モード及び前記測定結果に基づき、前記端末装置が前記複数の基準信号のうちの各基準信号に対応するランクインジケータを含む報告情報を報告することと、を含み、
前記端末装置の決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下であることを特徴とする、前記無線通信方法。
【請求項２】
前記複数の基準信号が、前記端末装置にサービスを提供する複数の送信ノード又は複数のダウンリンク送信ビームからのものであることを特徴とする
請求項１に記載の方法。
【請求項３】
前記第１所定値が前記端末装置の能力に対応する値以下であり、及び／又は前記端末装置に構成された、前記各基準信号それぞれに対応するポート数以下であることを特徴とする
請求項１又は２に記載の方法。
【請求項４】
前記第２所定値が前記端末装置の能力に対応する値以下であることを特徴とする
請求項１〜３のいずれか１項に記載の方法。
【請求項５】
前記端末装置が複数の基準信号の測定結果を報告するモードを決定することは、
前記端末装置が、ネットワーク装置が前記複数の基準信号の測定結果の報告モードを構成する構成情報を受信していない場合、前記端末装置が第１モードで前記複数の基準信号の測定結果を報告することを決定することを含むことを特徴とする
請求項１〜４のいずれか１項に記載の方法。
【請求項６】
前記端末装置が複数の基準信号の測定結果を報告するモードを決定する前に、前記方法は、更に、
前記端末装置が、前記複数の基準信号の測定結果の報告モードを構成するための構成情報を受信することを含み、
前記構成情報は、前記端末装置が前記第１モードで前記複数の基準信号の測定結果を報告するように構成することに用いられることを特徴とする
請求項１〜４のいずれか１項に記載の方法。
【請求項７】
前記構成情報は、前記端末装置が前記第２モードで前記複数の基準信号の測定結果を報告するように構成することに用いられることを特徴とする
請求項６に記載の方法。
【請求項８】
前記構成情報には更に前記第２所定値が含まれ、及び／又は
前記構成情報には更に前記各基準信号に対応する報告情報内のランクインジケータの最大値が含まれることを特徴とする
請求項７に記載の方法。
【請求項９】
前記第２モードにおいて、前記各基準信号に対応する報告情報内のランクインジケータの最大値が第３所定値であり、
前記第３所定値は前記端末装置の能力に対応する値を前記複数の基準信号の数で割った値の切り下げに等しく、又は、
前記第３所定値は前記端末装置の能力に対応する値及び対応する基準信号に対応するポート数のうちの最小値に等しいことを特徴とする
請求項７に記載の方法。
【請求項１０】
前記構成情報における異なる基準信号の構成が前記基準信号のインデックスで区分されることを特徴とする
請求項６〜９のいずれか１項に記載の方法。
【請求項１１】
前記構成情報における異なる基準信号の構成が前記基準信号の対応する報告情報のインデックスで区分されることを特徴とする
請求項６〜９のいずれか１項に記載の方法。
【請求項１２】
前記端末装置が前記複数の基準信号のうちの各基準信号に対応するランクインジケータを含む報告情報を報告することは、
前記端末装置が、それぞれ前記各基準信号の送信側へ該基準信号そのものに対応する、ランクインジケータを含む報告情報を送信することを含むことを特徴とする
請求項１〜１１のいずれか１項に記載の方法。
【請求項１３】
前記端末装置が前記複数の基準信号のうちの各基準信号に対応するランクインジケータを含む報告情報を報告することは、
前記端末装置が、前記複数の基準信号のうちの少なくとも１つの第１基準信号の送信側へ第１メッセージを送信することを含み、前記第１メッセージが、前記第１基準信号に対応するランクインジケータを含む報告情報を含み、
前記第１メッセージは更に前記複数の基準信号のうちの少なくとも１つの第２基準信号に対応する報告情報に含まれるランクインジケータを含むことを特徴とする
請求項１〜１１のいずれか１項に記載の方法。
【請求項１４】
端末装置であって、
複数の基準信号の測定結果を報告するモードを決定するように構成される処理ユニットと、
決定された前記モード及び前記測定結果に基づき、前記複数の基準信号のうちの各基準信号に対応するランクインジケータを含む報告情報を報告するように構成される通信ユニットと、を備え、
前記処理ユニットにより決定した報告モードが第１モード又は第２モードであり、
前記第１モードにおいて、前記各基準信号に対応する報告情報内のランクインジケータの最大値が第１所定値以下であり、
前記第２モードにおいて、前記複数の基準信号に対応する報告情報内のランクインジケータの値の総和の最大値が第２所定値以下であることを特徴とする、前記端末装置。
【請求項１５】
端末装置であって、
プロセッサと、メモリと、送受信機とを備え、
前記プロセッサが、外部通信を行うように送受信機を制御し、
前記プロセッサが、前記メモリに記憶されているプログラムコードを呼び出して、請求項１〜１３のいずれか１項に記載の方法を実行する、
端末装置。
【国際調査報告】
2020537837.tif 000011
2020537837.tif 000012
2020537837.tif 000013
2020537837.tif 000014